(57)【要約】      （修正有）【課題】容易に設置及び撤去が可能で、且つ開口部からの作業員の墜落等を好適に防止することのできる簡易式防護柵を提供する。【解決手段】開口部の両側に配置された壁面部材２，２に取り付けられる支持体１１，１１と、支持体１１，１１間に架け渡されるように設置される棒状の横材１２とを備えた簡易式防護柵において、壁面部材２は、吊り持ち用ワイヤの下端に取り付けられた吊り具と互いに着脱可能に係合される吊り具連結部６，６を上端面部に備え、支持体１１は、吊り具連結部６と互いに着脱可能に係合する取付１３具を備えてなる。【選択図】図２
0003180892.tif 000002
【実用新案登録請求の範囲】
【請求項１】
開口部の両側に配置された壁面部材に取り付けられる支持体と、該支持体間に架け渡されるように設置される棒状の横材とを備え、前記壁面部材間に形成された開口部を横切るように前記横材を配置できるようにした簡易式防護柵において、
前記壁面部材は、吊り持ち用ワイヤの下端に取り付けられた吊り具と互いに着脱可能に係合される吊り具連結部を上端面部に備え、
前記支持体は、前記吊り具連結部と互いに着脱可能に係合する取付具を備えたことを特徴としてなる簡易式防護柵。
【請求項２】
前記吊り具連結部は、上端部に外向きに張り出した形状の拡大頭部を有する棒状のアンカー部材を備え、該アンカー部材の一端側を前記壁面部材の上端面部に開口した凹部の底部より突出させ、前記拡大頭部が前記凹部に挿入された吊り具と互いに係合されるようにしたものであって、
前記取付具は、前記アンカー部材が挿通される係合溝部を備えるとともに、前記拡大頭部が前記係合溝部の周縁部と互いに係合する位置と、該係合状態が解除される位置との間で移動できるように形成されてなる請求項１に記載の簡易式防護柵。
【請求項３】
前記取付具は、前記凹部内に嵌り込む椀状に形成され、前記係合溝部は、一端が前記椀状外縁に開口し、他端が前記椀状の底部に配置されてなるスリット溝状に形成され、前記取付具を前記凹内で回動させることにより前記拡大頭部が前記係合溝部の底部側端周縁部と互いに係合するようにしてなる請求項２に記載の簡易式防護柵。
【請求項４】
前記支持体は、前記取付具の係合溝部とは反対側の椀状外縁部に前記横材を支持する横材支持部を一体に備えてなる請求項３に記載の簡易式防護柵。
【請求項５】
前記支持体は、前記取付具に一体に支持されて前記壁面部材の裏面側に上下に向けて配置される縦材を備え、該縦材に前記横材を着脱可能に支持させる横材支持手段を備えた請求項１、２又は３に記載の簡易式防護柵。
【請求項６】
互いに間隔を置いて配置された支持体の何れか一方又は双方に、前記横材の外側に互いに相対移動可能に嵌合される可動嵌合部材を備え、前記横材の両支持体間に架け渡される部分の長さを調節できるようにしてなる請求項１〜４又は５に記載の簡易式防護柵。
【考案の詳細な説明】
【技術分野】
【０００１】
本考案は、主に補強土壁工法において安全に作業する為の防護柵であって、着脱が容易な簡易式防護柵に関する。
【背景技術】
【０００２】
従来、都市部や山岳部等の用地確保の困難な場所において鉛直状壁面を有する土留め構造物を構築する工法としてテールアルメ工法等の補強土壁工法が広く採用されている。
【０００３】
この補強土壁工法（テールアルメ工法）は、図１０、図１１に示すように、土台１上に複数のコンクリート製の壁面部材２，２...（コンクリートスキン）を互いに隣り合う壁面部材２，２...同士が段違い配置となるように建て込むことにより壁面部を段階的に構築しつつ、その裏面側に各壁面部材２，２...の裏面部に一端を固定させたストリップと呼ばれる帯鋼補強材３，３...を敷設するとともに盛り土４を行う作業を繰り返し、盛り土４内に層状に敷設された複数の帯鋼補強材３，３...と盛り土４との摩擦力による引抜抵抗力で土留効果を発揮させるようになっている。尚、図中符号２ａは壁面部材２の表面、符号２ｂは壁面部材２の裏面を示している。
【０００４】
各壁面部材２には、図１２に示すように、その上端面部に配置された椀状の凹部８と、凹部８の底面部より上端部を突出させたアンカー部材７とを備え、このアンカー部材７の上端に径方向に張り出した拡大頭部７ｂが形成され、この拡大頭部７ｂと互いに係合する吊り具９を介してクレーンにより壁面部材２を立ち上げた状態で吊り上げ、建て込み作業を行うようになっている（例えば、特許文献１を参照）。
【０００５】
一方、このような補強土壁工法にあっては、複数のコンクリート製の壁面部材２，２...（コンクリートスキン）を互いに隣り合う壁面部材２，２...同士が段違い配置となるように建て込み壁面部を段階的に構築するため、各段階で上端部に位置する各壁面部材２，２...間に開口部５が形成され、安全に作業を行うためには、この開口部５より作業員等が墜落しないように防護柵を設けることが必要である。
【０００６】
従来、このような防護柵としては、開口部５の両側に配置された各壁面部材２，２...に支持体を固定し、その支持体間に鋼管等の棒状の横材を架け渡すようにした構造のものや、壁面部材２，２...にボルト締め等により固定される棒状の縦材を備え、各縦材に鉄筋等の棒状の横材の端部を溶接等により固定し、縦材間に横材を架設させるようにした構造のもの（例えば、特許文献２を参照）等が知られている。
【先行技術文献】
【特許文献】
【０００７】
【特許文献１】特開平０９−１２２６４号公報
【特許文献２】特開２００７―３１４９６０号公報
【考案の概要】
【考案が解決しようとする課題】
【０００８】
しかしながら、上述の如き従来の技術では、横材を固定するための支持体をボルト締めなどにより壁面部材に固定していたため、その設置及び撤去に手間が掛かり、工期短縮を阻害する要因となっていた。
【０００９】
そこで、本考案は、このような従来の問題に鑑み、容易に設置及び撤去が可能で、且つ作業員等の墜落を防止するための簡易式防護柵の提供を目的としてなされたものである。
【課題を解決するための手段】
【００１０】
本考案に係る請求項1に記載の考案の特徴は、開口部の両側に配置された壁面部材に取り付けられる支持体と、該支持体間に架け渡されるように設置される棒状の横材とを備え、前記壁面部材間に形成された開口部を横切るように前記横材を配置できるようにした簡易式防護柵において、前記壁面部材は、吊り持ち用ワイヤの下端に取り付けられた吊り具と互いに着脱可能に係合される吊り具連結部を上端面部に備え、前記支持体は、前記吊り具連結部と互いに着脱可能に係合する取付具を備えたことにある。
【００１１】
請求項２に記載の考案の特徴は、請求項１の構成に加え、前記吊り具連結部は、上端部に外向きに張り出した形状の拡大頭部を有する棒状のアンカー部材を備え、該アンカー部材の一端側を前記壁面部材の上端面部に開口した凹部の底部より突出させ、前記拡大頭部が前記凹部に挿入された吊り具と互いに係合されるようにしたものであって、前記取付具は、前記アンカー部材が挿通される係合溝部を備えるとともに、前記拡大頭部が前記係合溝部の周縁部と互いに係合する位置と、該係合状態が解除される位置との間で移動できるように形成されてなることにある。
【００１２】
請求項３に記載の考案の特徴は、請求項２の構成に加え、前記取付具は、前記凹部内に嵌り込む椀状に形成され、前記係合溝部は、一端が前記椀状外縁に開口し、他端が前記椀状の底部に配置されてなるスリット溝状に形成され、前記取付具を前記凹内で回動させることにより前記拡大頭部が前記係合溝部の底部側端周縁部と互いに係合するようにしてなることにある。
【００１３】
請求項４に記載の考案の特徴は、請求項３の構成に加え、前記支持体は、前記取付具の係合溝部とは反対側の椀状外縁部に前記横材を支持する横材支持部を一体に備えてなることにある。
【００１４】
請求項５に記載の考案の特徴は、請求項１、２又は３の構成に加え、前記支持体は、前記取付具に一体に支持されて前記壁面部材の裏面側に上下に向けて配置される縦材を備え、該縦材に前記横材を着脱可能に支持させる横材支持手段を備えたことにある。
【００１５】
請求項６に記載の考案の特徴は、請求項１〜４又は５の構成に加え、互いに間隔を置いて配置された支持体の何れか一方又は双方に、前記横材の外側に互いに相対移動可能に嵌合される可動嵌合部材を備え、前記横材の両支持体間に架け渡される部分の長さを調節できるようにしてなることにある。
【考案の効果】
【００１６】
本考案に係る簡易式防護柵においては、開口部の両側に配置された壁面部材に取り付けられる支持体と、該支持体間に架け渡されるように設置される棒状の横材とを備え、前記壁面部材間に形成された開口部を横切るように前記横材を配置できるようにした簡易式防護柵において、前記壁面部材は、吊り持ち用ワイヤの下端に取り付けられた吊り具と互いに着脱可能に係合される吊り具連結部を上端面部に備え、前記支持体は、前記吊り具連結部と互いに着脱可能に係合する取付具を備えたことにより、吊り上げ作業に使用する吊り具連結部を用いて容易に支持体を取り付けることができる。
【００１７】
また、本考案において、前記吊り具連結部は、上端部に外向きに張り出した形状の拡大頭部を有する棒状のアンカー部材を備え、該アンカー部材の一端側を前記壁面部材の上端面部に開口した凹部の底部より突出させ、前記拡大頭部が前記凹部に挿入された吊り具と互いに係合されるようにしたものであって、前記取付具は、前記アンカー部材が挿通される係合溝部を備えるとともに、前記拡大頭部が前記係合溝部の周縁部と互いに係合する位置と、該係合状態が解除される位置との間で移動できるように形成されてなることにより、取付具を吊り具連結部に対し容易に着脱できるとともに、使用時にはアンカー部材に反力を取って防護柵として横材に作用する力に対し高い耐力を発揮することができる。
【００１８】
更に、本考案において、前記取付具は、前記凹部内に嵌り込む椀状に形成され、前記係合溝部は、一端が前記椀状外縁に開口し、他端が前記椀状の底部に配置されてなるスリット溝状に形成され、前記取付具を前記凹内で回動させることにより前記拡大頭部が前記係合溝部の底部側端周縁部と互いに係合するようにしてなることにより、取付具を吊り具連結部に対し容易に着脱できるとともに、当該回動方向のモーメントに対し高い耐力を発揮することができる。
【００１９】
更にまた、本考案において、前記支持体は、前記取付具の係合溝部とは反対側の椀状外縁部に前記横材を支持する横材支持部を一体に備えてなることにより、横材に力が作用することにより生じる回動方向のモーメントに対し高い耐力を発揮することができる。
【００２０】
また、本考案において、前記支持体は、前記取付具に一体に支持されて前記壁面部材の裏面側に上下に向けて配置される縦材を備え、該縦材に前記横材を着脱可能に支持させる横材支持手段を備えたことにより、防護柵の組立て及び解体を容易に行うことができるとともに、横材を多段配置に備えることができる。また、横材等が開口部の上面側に干渉しないので、簡易式防護柵を取り付けたまま開口部に新たな壁面部材を設置することが可能であり、その作業を安全に行うことができる。
【００２１】
更に、本考案において、互いに間隔を置いて配置された支持体の何れか一方又は双方に、前記横材の外側に互いに相対移動可能に嵌合される可動嵌合部材を備え、前記横材の両支持体間に架け渡される部分の長さを調節できるようにしてなることにより、様々な開口部幅の壁面部に防護柵を設置することができる。
【図面の簡単な説明】
【００２２】
【図１】本発明に係る簡易式防護柵の使用状態の一例を示す平面図である。
【図２】同上の支持体取付部分の拡大縦断面図である。
【図３】（ａ）は図２中の支持体を示す平面図、（ｂ）は同縦断面図である。
【図４】（ａ）（ｂ）は同上の簡易式防護柵の取付け手順を示す部分拡大断面図である。
【図５】（ａ）は本発明に係る簡易式防護柵の他の実施形態の使用状態を示す平面図、（ｂ）は同背面図である。
【図６】同上の部分拡大縦断面図である。
【図７】図６中の支持体を示す側面図である。
【図８】図１中の横材端部を示す部分拡大正面図である。
【図９】同上の支持体の取付け方法を説明するための部分拡大断面図である。
【図１０】補強土壁工法により構築された壁面部の一例を示す正面図である。
【図１１】同上の縦断面図である。
【図１２】同上の壁面部材の上端面部に形成された吊り具連結部を示す縦断面図である。
【考案を実施するための形態】
【００２３】
次に、本考案に係る簡易式防護柵の第１の実施形態を図１〜図４に示した実施例に基づいて説明する。尚、図中符号１０は簡易式防護柵であり、また、上述の従来例と同様の構成には同一符号を付して説明し、図中符号２は壁面部材（コンクリートスキン）、符号３は帯鋼補強材（ストリップ）、符号４は盛り土である。
【００２４】
壁面部材２は、上端面部に互いに間隔を置いて吊り具連結部６，６が形成され、この吊り具連結部６，６に吊り持ち用ワイヤの下端に取り付けられた吊り具を係合させ、立ち上げた状態で吊り上げられることにより建て込み作業を行うようになっている。
【００２５】
この吊り具連結部６，６は、上端部に外向きに張り出した形状の拡大頭部７ｂを有する棒状のアンカー部材７を備え、アンカー部材７の一端側を壁面部材２に埋設するとともに、拡大頭部７ｂが形成された一端側を壁面部材２の上端面部に開口した半円球椀状の凹部８の底部より突出させ、拡大頭部７ｂが凹部８に挿入された吊り具と互いに係合されるようになっている。
【００２６】
拡大頭部７ｂは、例えば、棒状の本体部７ａの外径より直径の大きな円盤状に形成され、当該円盤状の外周部が本体部７ａの外周面より外側に張り出すようになっている。尚、拡大頭部７ｂの形状は、円盤状に限定されず、半円球状、小判型状等であってもよい。
【００２７】
簡易式防護柵１０は、このような吊り具連結部６，６を有する複数のコンクリート製の壁面部材２，２...（コンクリートスキン）を互いに隣り合う壁面部材２，２...同士が段違い配置となるように建て込むことにより壁面部を段階的に構築する場合に、各段階において上端部の壁面部材２，２間に形成される開口部５に設置されるものであって、開口部５の両側に配置された各壁面部材２，２...にそれぞれ固定される支持体１１，１１と、両端をそれぞれ各支持体１１，１１に着脱可能に支持させて両支持体１１，１１間に架け渡される棒状の横材１２とを備え、横材１２が開口部５の上面開口部を横切るように設置されるようにし、開口部５からの作業員の墜落等を防止するようになっている。尚、図中符号２ａは、壁面部材２の表面、符号２ｂは壁面部材２の裏面を示し、壁面部材２の裏面２ｂ側に盛り土４がされている。
【００２８】
支持体１１，１１は、吊り具連結部６，６と互いに着脱可能に係合する取付具１３と、取付具１３に一体に支持された横材支持部１４とを備え、この取付具１３を吊り具連結部６と互いに係合させることにより支持体１１が壁面部材２の上端部に取り付けられるようになっている。
【００２９】
取付具１３は、図３に示すように、アンカー部材７が挿通される係合溝部１５を備えるとともに、壁面部材２の上端部に形成された凹部８内に嵌り込む半円球椀状に鋼材をもって形成され、拡大頭部７ｂが係合溝部１５の周縁部と互いに係合する位置と、係合状態が解除される位置との間で移動できるような形状になっている。
【００３０】
係合溝部１５は、一端が椀状の外縁に開口し、他端が椀状の底部に配置されてなるスリット溝状に形成され、この係合溝部１５にアンカー部材７を挿通させ、取付具１３を係合溝部１５をアンカー部材７にガイドさせつつ凹部８内で回動させることにより拡大頭部７ｂが凹部８底部で係合溝部１５の底側端周縁部と互いに係合するようになっている。
【００３１】
横材支持部１４は、一端が取付具１３の係合溝部１５の椀状外縁側開口とは反対側の椀状外縁部に一体に固定された鋼板からなる支持腕部１６と、支持腕部１６の他端側上面部に固定された筒状の嵌合部材１７とを備え、この嵌合部材１７内に横材１２が挿入され、嵌合部材１７が横材１２の外側に嵌合されることにより横材１２を支持するようになっている。
【００３２】
この支持腕部１６は、取付具１３の回動半径方向に向けた矩形平板状に形成され、その長さ、幅及び厚みは、横材１２に力が作用した際に生ずるモーメントに対し高い耐力を得られるよう設計されている。
【００３３】
嵌合部材１７は、筒軸方向を取付具１３の回動方向と交差する方向に向けて支持腕部１６に固定され、この筒状内径部１７ａに横材１２が挿し込まれるようになっている。
【００３４】
また、互いに間隔を置いて配置された支持体１１の何れか一方又は双方の嵌合部材１７は、横材１２に対し互いに相対移動可能に嵌合される可動嵌合部材とし、横材１２の両支持体１１間に架け渡される部分の長さを調節できるようにしている。
【００３５】
この可動嵌合部材１７には、所望の位置で横材１２に対する可動嵌合部材１７の相対移動を規制するための固定手段１８を備え、この固定手段１８による規制が解除されている状態でのみ相対移動ができるようになっている。
【００３６】
固定手段１８は、例えば、嵌合部材１７に筒径方向に進退可能に螺合されたボルトをもって構成し、ボルトを締めつけることにより可動嵌合部材１７の横材１２に対する相対移動を規制するようになっている。
【００３７】
尚、支持体１１の一方のみを可動嵌合部材１７とする場合は、他方の嵌合部材１７は横材１２の端部に溶接等により固定される。
【００３８】
横材１２は、小径の鋼管等のように所要の強度を備え、且つ、可動嵌合部材１７に対して相対移可能な断面形状を有するように構成され、この横材１２の可動嵌合部材１７と嵌合される側の端部には、管径方向外側に向けて突出したボルト、ピン部材等からなる抜け止部材１９が備えられ、支持体１１が横材１２の一端より離脱するのを防止している。
【００３９】
このように構成された簡易式防護柵１０は、支持体１１の位置が吊り具連結部６，６の位置に対応するように可動嵌合部材１７を横材１２に対し相対移動させて横材１２の支持体１１間に架け渡される部分の長さを調整し、その位置で取付具１３を吊り具連結部６，６に取り付ける。
【００４０】
取付具１３の吊り具連結部６，６への取り付けは、図４に示すように、取付具１３を凹部８に壁面部材２上端面部の表面２ａ側より挿し込むとともに係合溝部１５の外縁側端部開口よりアンカー部材本体部７ａを挿通させ、その状態で取付具１３をアンカー部材７にガイドさせつつ回動させることにより行う。
【００４１】
それにより、係合溝部１５の底部側端内縁１５ａがアンカー部材本体部７ａに当て止されるとともに、当該係合溝部１５の底部側端周縁部がアンカー部材７の拡大頭部７ｂと互いに係合し、支持体１１が壁面部材２の上端部に取り付けられ、その支持体１１に支持された横材１２が開口部を横切るように配置される。
【００４２】
このように取り付けられた簡易式防護柵１０では、横材１２に作用する力及び当該力により支持腕部１６を介して取付具１３に作用する曲げモーメントに対し、取付具１３がアンカー部材７に反力をとって対抗し、即ち、取付具１３の係合溝底部側端内縁がアンカー部材本体部７ａに、係合溝部底部側端周縁部が拡大頭部７ｂにそれぞれ反力をとって対抗し、それにより横材１２に作用する力に対し高い耐力が得られるようになっている。
【００４３】
一方、この簡易式防護柵は、支持体１１を取り付けの際とは反対方向に回動させることにより、容易に取り外すことができるようになっている。
【００４４】
尚、上述の実施例では、取付具１３を凹部８に壁面部材２上端面部の表面２ａ側より挿し込み、横材１２が壁面部材２上端面部において取付具１３よりも表面２ａ側に配置されるように簡易式防護柵１０を取り付けた例について説明したが、取付具１３を凹部８に壁面部材２上端面部の裏面２ｂ側より挿し込み、横材１２が壁面部材２上端面部において取付具１３よりも裏面２ｂ側に配置されるように簡易式防護柵１０を取り付けてもよい。
【００４５】
この場合においても、横材１２に作用する力及び当該力により支持腕部１６を介して取付具１３に作用する曲げモーメントに対し、取付具１３がアンカー部材７に反力をとって対抗し、即ち、取付具１３の係合溝底部側端内縁がアンカー部材本体部７ａに、係合溝部底部側端周縁部が拡大頭部７ｂにそれぞれ反力をとって対抗し、それにより横材１２に作用する力に対し高い耐力が得られるようになっている。
【００４６】
次に、本発明に係る簡易式防護柵３０の他の実施例について図５〜図９に示す実施例に基づき説明する。尚、上述の実施例と同様の構成には、同一符号を付して説明する。
【００４７】
この簡易式防護柵３０は、各段階において上端部の壁面部材２，２間に形成される開口部５に設置されるものであって、開口部５の両側に配置された各壁面部材２，２...にそれぞれ取り付けられる支持体３１，３１と、両端をそれぞれ各支持体３１，３１に着脱可能に支持させて両支持体３１，３１間に架け渡される棒状の横材３２，３２とを備え、横材３２，３２が開口部５を横切るように設置されるようにし、開口部５からの作業員の墜落等を防止するようになっている。
【００４８】
支持体３１，３１は、吊り具連結部６，６と互いに着脱可能に係合する取付具３３を備え、この取付具３３を吊り具連結部６，６と互いに係合させることにより支持体３１，３１が壁面部材２の上端部に取り付けられるようになっている。
【００４９】
また、この支持体３１，３１には、取付具３３に一体に支持されて壁面部材２の裏面側に上下に向けて配置される縦材３５を備え、この縦材３５に横材３２，３２が支持されるようになっている。
【００５０】
取付具３３は、上述の実施例と同様に、アンカー部材７が挿通される係合溝部１５を備えるとともに、壁面部材２の上端部に形成された凹部８内に嵌り込む半円球椀状に鋼材をもって形成され、拡大頭部７ｂが係合溝部１５の周縁部と互いに係合する位置と、係合状態が解除される位置との間で移動できるような形状になっている。
【００５１】
係合溝部１５は、一端が椀状外縁に開口し、他端が椀状の底部に配置されてなるスリット溝状に形成され、この係合溝部１５にアンカー部材７を挿通させ、取付具３３を係合溝部１５をアンカー部材７にガイドさせつつ凹部８内で回動させることにより拡大頭部７ｂが椀状底部で係合溝部１５底側端周縁部と互いに係合するようになっている。
【００５２】
縦材３５は、図７に示すように、丸鋼等を曲げ加工することにより形成され、上端の折り曲げ部３６が取付具３３の係合溝部１５椀状外縁側開口とは反対側の椀状外縁部に一体に固定され、壁面部材２，２...の裏面側に上下方向に向けて配置されるようになっている。
【００５３】
また、図示しないが、縦材３５には、その壁面部材２，２...と接触する部分をゴム材等で被覆するなどして壁面部材２，２...との間に緩衝材を介在させることが好ましい。
【００５４】
また、縦材３５には、その長手方向に間隔を置いて１又は複数の横材支持手段３７，３７を備え、各横材３２，３２の端部がそれぞれ着脱可能に取り付けることができるようになっている。
【００５５】
横材支持手段３７，３７は、支持体３１を壁面部材２に取り付けた際に、支持体３１に支持された横材３２，３２が開口部５を横切る配置となるように縦材３５に突設され、具体的には、支持体３１を壁面部材２に取り付けた際に、上段横材３２が手摺材として機能し、下段横材３２が中さん材として機能する位置にそれぞれ取り付けられるようになっている。
【００５６】
横材支持手段３７，３７は、例えば、縦材３５表面に対し鉛直方向に向けて突設されたボルト部材３８と、ボルト部材３８に螺合される蝶ナット部材３９とをもって構成し、横材３２，３２の端部に形成された固定用孔４１にボルト部材３８を通し、その状態で横材３２，３２の外側より蝶ナット部材３９を締め込むことにより特別な道具を用いずに容易に横材３２，３２の端部を縦材３５に固定できるようになっている。
【００５７】
また、蝶ナット部材３９を緩めることにより横材３２，３２の端部を縦材３５より特別な道具を使用せずとも容易に離脱させることができるようになっている。
【００５８】
尚、横材支持手段３７，３７は、上述の如きボルト部材３８及び蝶ナット部材３９により構成されたものに限定されず、縦材３５に突設された棒状部材と、当該棒状部材の先端部に形成されたピン孔に挿入されるピン部材とをもって構成し、横材３２，３２の端部に形成された固定用孔４１に棒状部材を通し、その状態で横材３２，３２の外側でピン部材をピン孔に挿入し、ピン部材により横材３２，３２の離脱を規制するようにした構造であってもよく、また、縦材３５に突設された棒状部材の先端側に一端側に重心が偏った形状の回動ピンを回動自在に支持させた所謂グラビティロック構造であってもよい。
【００５９】
横材３２，３２は、ステンレス鋼等の軽量、且つ防護柵としての強度を兼ね備えた材質により形成し、両端にそれぞれ平板状に形成された固定板部４０，４０が一体に形成され、固定板部４０，４０の中央部分に固定用孔４１が形成されている。
【００６０】
尚、この横材３２，３２には、組立足場に使用される汎用の筋交い部材を転用することが可能で、その場合、リースにて対応することによりコストの削減を図れ、また、使用後は返却することにより保管場所を確保する必要が無く、作業現場の整理整頓の面で優位である。
【００６１】
このように構成された簡易式防護柵３０は、図９に示すように、取付具３３を凹部８に壁面部材２上端面部の裏面２ｂ側より挿し込むとともに係合溝部１５の周縁側端部開口よりアンカー部材本体部７ａを挿通させ、その状態で取付具３３をアンカー部材７にガイドさせつつ支持体３１を回動させることにより、取付具３３が凹部８内で回動し、係合溝部１５の底部側端周縁部がアンカー部材７の拡大頭部７ｂと互いに係合する位置まで移動し、それにより取付具３３が吊り具連結部６と互いに係合する。
【００６２】
それにより支持体３１，３１が壁面部材２に取り付けられ、そして、各支持体３１，３１に横材３２，３２の端部を横材３２，３２支持手段を介して取り付けることにより、各横材３２，３２が開口部を横切るように配置される。
【００６３】
このように取り付けられた簡易式防護柵３０は、横材３２，３２に壁面部材２の裏面側より表面側に向けて力が作用すると、縦材３５を介して取付具３３に曲げモーメントが作用する。
【００６４】
これに対し取付具３３がアンカー部材７に反力をとって対抗し、即ち、取付具３３の係合溝底部側端部内側縁がアンカー部材７本体部に、係合溝底部側端開口縁部が拡大頭部７ｂにそれぞれ反力をとって対抗するようになっている。
【００６５】
また、この簡易式防護柵３０では、横材３２，３２等が開口部５の上面側に干渉しないので、簡易式防護柵３０を取り付けたまま開口部５に新たな壁面部材２，２...を設置することが可能であり、その作業を安全に行うことができる。  
【００６６】
一方、この簡易式防護柵３０は、横材３２，３２を支持体３１，３１より容易に取り外すことができるとともに、支持体３１，３１を取り付けの際とは反対方向に回動させることにより、容易に取り外すことができ、容易に防護柵の組立て、解体が可能なので作業を効率よく行うことができる。
【００６７】
尚、取付具の形状は、上述の実施例に示す如き構造に限定されず、壁面部材の上端面部に形成された吊り具連結部の形状及び構造に対応して決定され、取付具が吊り具連結部と互いに着脱可能に係合するものであればよい。
【符号の説明】
【００６８】
１  土台
２  壁面部材
３  帯鋼補強材（ストリップ）
４  盛り土
５  開口部
６  吊り具連結部
７  アンカー部材
８  凹部
１０  簡易式防護柵
１１  支持体
１２  横材
１３  取付具
１４  横材支持部
１５  係合溝部
１６  支持腕部
１７  嵌合部材
１８  固定手段
１９  抜け止め部材
３０  簡易式防護柵
３１  支持体
３２  横材
３３  取付具
３５  縦材
３６  折り曲げ部
３７  横材支持手段
３８  ボルト部材
３９  蝶ナット部材
４０  固定板部
４１  固定用孔
【図１】
0003180892.tif 000003
【図２】
0003180892.tif 000004
【図３】
0003180892.tif 000005
【図４】
0003180892.tif 000006
【図５】
0003180892.tif 000007
【図６】
0003180892.tif 000008
【図７】
0003180892.tif 000009
【図８】
0003180892.tif 000010
【図９】
0003180892.tif 000011
【図１０】
0003180892.tif 000012
【図１１】
0003180892.tif 000013
【図１２】
0003180892.tif 000014